(57)【要約】【課題】複数の枠体からなる筐体において、落下等に対する耐衝撃性に優れ、小型化も可能である筐体を提供すること。【解決手段】複数の枠体からなる筐体であるカメラ外装ケース１は、カメラ構成部材が組み込まれ、開口部を有する箱形状の前カバー２と後カバー３とからなり、前カバー２の後カバー３との対向面２ａにはその外周に沿って環状の凸部２ｂが配され、後カバー３には対向面２ａと対向する対向面３ａに環状の溝部３ｂが配されている。前カバー２と後カバー３との組み立て状態では凸部２ｂは溝部３ｂに嵌入しており、その嵌入状態にて、凸部２ｂと溝部３ｂとの対向部分は、互いに曲率が異なるように形成されている。したがって、カメラ外装ケース１が万一落下等により衝撃力を受け、ケースずれ等によって凸部２ｂと溝部３ｂとが接触したとき、一点で接触することがなく、凸部２ｂの破損が防止される。【選択図】図３
2008041715.tif 000002
【特許請求の範囲】
【請求項１】
複数の枠体からなる筐体において、
他方の枠体と対向する枠体であって、対向方向と垂直な平面方向に屈曲した帯状の第一の対向面を有する第一の枠と、
上記他の枠体であって、上記第一の対向面に沿って形成された屈曲した帯状の第二の対向面を有する第二の枠と、
上記第一の対向面の上に上記対向する方向に伸びて上記屈曲した帯状部分に形成された屈曲部を有する壁部であって、該屈曲した壁部の内側面の曲率半径をＲ１とし、該屈曲した壁部の外側面の曲率半径をＲ２とする壁部と、
上記第二の対向面の屈曲した帯状部分に形成され、上記壁部が嵌入する屈曲した凹状の溝部であって、上記屈曲した凹状部分の内側内面の曲率半径をＲ３とし、上記屈曲した凹状部分の外側内面の曲率半径をＲ４とする溝部と、
を有し、上記曲率半径の関係が、
Ｒ３＞Ｒ１、かつ、Ｒ２＞Ｒ４
であることを特徴とする筐体。
【請求項２】
上記第一の対向面及び上記第二の対向面は環状に形成され、上記壁部及び上記溝部も環状に形成されていることを特徴とする請求項１記載の筐体。
【請求項３】
複数の枠体からなる筐体において、
他の枠体と対向する枠体であって、対向方向と垂直な平面方向に屈曲した帯状の第一の対向面を有する第一の枠と、
上記他の枠体であって、上記第一の対向面に沿って形成された屈曲した帯状の第二の対向面を有する第二の枠体と、
上記第一の対向面の上に上記対向する方向に伸びて上記屈曲した帯状部分に形成された屈曲部を有した壁部と、
上記第二の対向面の屈曲した帯状部分に形成され、上記壁部が嵌入する屈曲した凹状の溝部と、
を有し、上記屈曲部の上記溝部内の内周曲面は、該内周曲面に対向する上記壁部壁面の曲面より小さな曲率を有し、上記屈曲部内の上記溝部の外周曲面は、該外周曲面に対向する上記壁部壁面の曲面より大きな曲率を有していることを特徴とする筐体。
【発明の詳細な説明】
【技術分野】
【０００１】
本発明は、複数の枠体からなる筐体の構造に関する。
【背景技術】
【０００２】
物品を収納する箱や内部に構成部材を収納するカメラ等の電子機器の筐体においては、輸送中、あるいは、使用中に落下させたとき、上記箱、または、筐体の角部が障害物に当たって破損してしまうことがあり得る。
【０００３】
また、従来のカメラの筐体として、図９〜１１に示す嵌合構造を形状を有するものがある。図９は、上記従来の筐体の正面図であり、図１０は、図９のＤ−Ｄ断面図であって、上記筐体の嵌合状態を示す。図１１は、図１０のＥ−Ｅ断面図であって、上記筐体の角部嵌合部の凸部と凹部の形状を示す図である。
【０００４】
上記従来のカメラの筐体１００は、図９，１０に示すようにレンズ鏡筒部１０３が組み付けられた前カバー１０１と、後カバー１０２とからなる。前カバー１０１の周囲に沿って配される凸部１０１ａと後カバー１０２の周囲に沿って配される凹部１０２ａとを嵌め込んだ状態で接合させ、前カバー１０１と後カバー１０２とをビス等で締結した状態とする。
【０００５】
凸部１０１ａと凹部１０２ａとの各角部は、図１１に示すような曲率形状を有している。すなわち、凸部１０１ａの角部内側内面１０１a1の曲率半径をＲ11とし、角部外側内面１０１a2の曲率半径をＲ12とする。一方、凹部１０２ａの角部内側内面１０２a1の曲率半径をＲ13とし、角部内側外面１０２a2の曲率半径をＲ14とし、それらの曲率半径は、
Ｒ13＜Ｒ11  …（１）
かつ、
Ｒ14＞Ｒ12  …（２）
の関係を有している。
【０００６】
万一、図９の筐体１００を落下させて、図１１に示すように障害物１１０に角部を衝突させた場合、上記角部にて前カバー１０１と後カバー１０２との間がずれたり、弾性変形することにより凸部１０１ａと凹部１０２ａとが一点で当接し、その当接部に割れが生じる可能性があった。
【０００７】
図１２は、筐体１００が落下して角部が障害物１１０に衝突し、角部外側内面１０１a2と角部内側外面１０２a2とが当接したときの状態を示している。本図に示すように上記角部内外面の曲率半径が（２）式の関係にあることから前カバー１０１と後カバー１０２が衝撃によりずれ、あるいは、弾性変形により角部外側内面１０１a2の頂点Ｐ10と角部内側外面１０２a2の底部Ｐ11が一点で当接し、過大な応力が発生して、比較的に肉厚の薄い凸部１０１ａ側に割れが生じる可能性がある。なお、角部内側内面１０１a1と角部内側内面１０２a1とが当接したときも同様に一点で当接する状態となり、薄い凸部１０１ａ側に割れが生じる可能性がある。
【０００８】
例えば、上記落下時の破損防止するための箱内緩衝材として特許文献１に開示されたものは、箱の内部四隅に配設可能な緩衝材であり、この緩衝材は、箱内部に収納される物品の外周部分８箇所に当接させた状態で配置される。
【特許文献１】特開平３−５６２７５号公報
【発明の開示】
【発明が解決しようとする課題】
【０００９】
上述した従来の筐体１００は、通常、合成樹脂等で形成されていることから、落下による衝撃で一時的にせよ、弾性変形することは避けられない。また、前カバー１０１と後カバー１０２とは、ビス等で締結されているが、落下時にずれが生じる可能性がある。したがって、上述した角部の形状を有する筐体１００では落下による割れを防止することは困難である。
【００１０】
しかし、カメラ等の筐体に特許文献１に開示されている緩衝材を収納して耐衝撃性を向上させようとしても上記筐体が大型化するので、上記筐体には適用は困難である。
【００１１】
本発明は、上述の問題を解決するためになされたものであり、複数の枠体からなる筐体の構造において、落下等に対する耐衝撃性に優れ、小型化も可能である筐体を提供することを目的とする。
【課題を解決するための手段】
【００１２】
本発明の請求項１記載の筐体は、複数の枠体からなる筐体において、他方の枠体と対向する枠体であって、対向方向と垂直な平面方向に屈曲した帯状の第一の対向面を有する第一の枠と、上記他の枠体であって、上記第一の対向面に沿って形成された屈曲した帯状の第二の対向面を有する第二の枠と、上記第一の対向面の上に上記対向する方向に伸びて上記屈曲した帯状部分に形成された屈曲部を有した壁部であって、該屈曲した壁部の内側面の曲率半径をＲ１とし、該屈曲した壁部の外側面の曲率半径をＲ２とする壁部と、上記第二の対向面の屈曲した帯状部分に形成され、上記壁部が嵌入する屈曲した凹状の溝部であって、上記屈曲した凹状部分の内側内面の曲率半径をＲ３とし、上記屈曲した凹状部分の外側内面の曲率半径をＲ４とする溝部とを有しており、上記曲率半径の関係が、
Ｒ３＞Ｒ１、かつ、Ｒ２＞Ｒ４
である。
【００１３】
本発明の請求項２記載の筐体は、請求項１記載の筐体において、上記第一の対向面及び上記第二の対向面は環状に形成され、上記壁部及び上記溝部も環状に形成されている。
【００１４】
本発明の請求項３記載の筐体は、複数の枠体からなる筐体において、他の枠体と対向する枠体であって、対向方向と垂直な平面方向に屈曲した帯状の第一の対向面を有する第一の枠と、上記他の枠体であって、上記第一の対向面に沿って形成された屈曲した帯状の第二の対向面を有する第二の枠体と、上記第一の対向面の上に上記対向する方向に伸びて上記屈曲した帯状部分に形成された屈曲部を有した壁部と、上記第二の対向面の屈曲した帯状部分に形成され、上記壁部が嵌入する屈曲した凹状の溝部とを有しており、上記屈曲部の上記溝部内の内周曲面は、該内周曲面に対向する上記壁部壁面の曲面より小さな曲率を有し、上記屈曲部内の上記溝部の外周曲面は、該外周曲面に対向する上記壁部壁面の曲面より大きな曲率を有している。
【発明の効果】
【００１５】
本発明によれば、複数の枠体からなる筐体にて、落下等に対する耐衝撃性、特に枠体角部の耐衝撃性に優れ、小型化も可能である筐体を提供することができる。
【発明を実施するための最良の形態】
【００１６】
以下、図を用いて本発明の実施形態について説明する。  
図１は、本発明の一実施形態である筐体であるカメラ用外装ケースの斜視図である。図２は、上記外装ケースの背面図である。図３は、前カバーと後カバーとからなる上記外装ケースの分解斜視図である。図４は、図３の前カバーのＢ部矢視図である。図５は、図２のＡ−Ａ断面図である。図６は、図５のＣ−Ｃ断面図である。図７，８は、上記外装ケースが衝撃を受け、角部にずれが生じたときの状態を示す図である。
【００１７】
本実施形態のカメラ用外装ケース１は、図１，３に示すように互いに環状凸部と環状溝を嵌合させて一体化される複数の枠体である第一の枠としての前カバー２と、第二の枠としての後カバー３とからなり、カメラの構成部材（図示せず）が収納される。
【００１８】
前カバー２および後カバー３は、ともに合成樹脂製であり、カバー対向方向であるＳ0 方向に開口する開口部を有する箱状の枠体である。
【００１９】
前カバー２は、前面部にレンズ窓２ｄが配され、上面部にレリーズ釦１０が配されており、後カバー３の対向面３ａ（後述）とＳ0 方向に垂直な平面からなる開口を囲む環状の第一の対向面である対向面２ａを有している。その対向面２ａは、前カバー開口部を巡る状態で上記平面方向に対して角部で屈曲した帯状を形成している。対向面２ａ上には上記帯状部分に沿い、対向方向Ｓ0 に延びた（突出した）形状の屈曲部からなる凸部（環状の壁部）２ｂが形成されている。また、四角部に締結ビス１１を螺合させるためのねじ穴（セルフタッピング穴）２ｃが配されている。
【００２０】
後カバー３は、Ｓ0 方向に垂直な平面からなる開口を囲む環状の第二の対向面である対向面３ａを有しており、その対向面２ａは、後カバー開口部を巡る状態で上記平面方向に対して角部で屈曲した帯状を形成している。対向面３ａには上記帯状部分に沿い、屈曲部からなる環状の凹状溝部３ｂが形成されている。また、四角部に締結用ビス１１を挿通させるための挿通孔３ｃが配されている。
【００２１】
前カバー２と後カバー３との組み立ては、凸部２ｂを凹状溝部３ｂに嵌入させ、対向面２ａと対向面３ａとを互いに当接させる。そして、４角部にて挿通孔３ｃを挿通させた締結ビス１１をねじ穴２ｃに螺着して前カバー２と後カバー３とを固着状態とする。なお、カバー内の防水のために該組み立て状態で凸部２ｂの先端部と溝部３ｂとの間で挟持した状態で防止用Ｏリング４が挿入される。
【００２２】
図６に示すようにケース角部における凸部２ｂの屈曲部の形状として、内側壁部２b1の曲率半径Ｒ1 とし、外側壁部２b2の曲率半径Ｒ2 とする。また、嵌入状態で凸部２ｂに対向する部分の溝部３ｂの屈曲部の形状として、内側内面３b1の曲率半径Ｒ3 とし、外側内面３b2の曲率半径Ｒ4 としたとき、
Ｒ3 ＞Ｒ1   …（３）
すなわち、上記屈曲部の上記溝部内の内周曲面は、該内周曲面に対向する上記壁部壁面の曲面より小さな曲率（１／Ｒ3 ）を有しており、かつ、
Ｒ2 ＞Ｒ4   …（４）
すなわち、上記屈曲部内の上記溝部の外周曲面は、該外周曲面に対向する上記壁部壁面の曲面より大きな曲率（１／Ｒ4 ）を有している。前カバー２と後カバー３との他の角部における壁部と溝部の曲率半径の関係も同様とする。
【００２３】
カメラの構成部材を収納した状態で上述した形状を有する前カバー２と後カバー３とは、互いに嵌合させてカメラ用外装ケース１として組み立てられる。
【００２４】
組み立てられた外装ケース１を万一落下させ、図２に示すように１つの角部Ｐ0 が障害物１１０に衝突した場合、締結ビス１１で固定された状態であっても、ねじのずれやケースの弾性変形によって、角部Ｐ0 にて前カバー２と後カバー３との間に衝突状態による一時的あるいは永久的な相対位置ずれが生じる。そして、角部が図７、または、図８に示す状態となる。
【００２５】
図７の示す状態は、後カバー３に対して前カバー２が角部外側に相対的にずれた状態であり、凸部と溝部の形状が（４）式の関係にあることから、後カバー３の溝部３ｂの外側内面３b2に対して前カバー２の凸部２ｂの外側壁部２b2は、頂点Ｐ1 は当接せず、頂点Ｐ1 の両側方の２点Ｐ2 ，Ｐ3 で同時に当接する。あるいは、２点Ｐ2 ，Ｐ3 のいずれか一方の平面部で当接する。
【００２６】
また、図８の示す状態は、後カバー３に対して前カバー２が角部内側に相対的にずれた状態であり、凸部と溝部の形状が（３）式の関係にあることから、後カバー３の溝部３ｂの内側内面３b1に対して前カバー２の凸部２ｂの内側壁部２b1は、底部Ｐ4 は当接せず、底部Ｐ4 の両側方の２点Ｐ5 ，Ｐ6 で同時に当接する。あるいは、２点Ｐ5 ，Ｐ6 のいずれか一方の平面部で当接する。
【００２７】
上述のように図７，８のいずれの場合も衝突時に凸部２ｂが１点ではなく２点、または、平面部で当接することから衝突による発生応力が減じ、凸部２ｂの破損が防止される。
【００２８】
本実施形態のカメラ用外装ケース１によれば、嵌合状態に支障のない状態のもとで構造を複雑化することなく、落下等に対する耐衝撃性、特にケース角部の耐衝撃性に優れ、小型化も可能である筐体を提供することができる。
【００２９】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００３０】
本発明による筐体は、複数の枠体からなる筐体であって、落下等に対する耐衝撃性に優れ、小型化も可能である筐体として利用することができる。
【図面の簡単な説明】
【００３１】
【図１】本発明の一実施形態である筐体であるカメラ用外装ケースの斜視図である。
【図２】図１の外装ケースの背面図である。
【図３】前カバーと後カバーとからなる図１の外装ケースの分解斜視図である。
【図４】図３の前カバーのＢ部矢視図である。
【図５】図２のＡ−Ａ断面図である。
【図６】図５のＣ−Ｃ断面図である。
【図７】図１の外装ケースが衝撃を受け、角部にずれが生じたときの１つの状態を示す図である。
【図８】図１の外装ケースが衝撃を受け、角部にずれが生じたときの他の状態を示す図である。
【図９】従来の筐体の正面図である。
【図１０】図９のＤ−Ｄ断面図であって、上記筐体の嵌合状態を示す。
【図１１】図１０のＥ−Ｅ断面図であって、上記筐体の角部嵌合部の凸部と凹部の形状を示す図である。
【図１２】図９の外装ケースが衝撃を受け、角部にずれが生じたときの状態を示す図である。
【符号の説明】
【００３２】
２  …前カバー（枠体，第一の枠）
２ａ…（第一の対向面）
２ｂ…凸部（壁部）
２b1…凸部（壁部の内側面）
２b2…凸部（壁部の外側面）
３  …後カバー（枠体，第二の枠）
３ａ…（第二の対向面）
３ｂ…溝部
３b1…（溝部の内側内面）
３b2…（溝部の外側内面）
Ｓ0 …対向方向
【図１】
2008041715.tif 000003
【図２】
2008041715.tif 000004
【図３】
2008041715.tif 000005
【図４】
2008041715.tif 000006
【図５】
2008041715.tif 000007
【図６】
2008041715.tif 000008
【図７】
2008041715.tif 000009
【図８】
2008041715.tif 000010
【図９】
2008041715.tif 000011
【図１０】
2008041715.tif 000012
【図１１】
2008041715.tif 000013
【図１２】
2008041715.tif 000014